(57)【要約】【課題】着脱自在で液晶拡大表示機能を有し、液晶機器から目を離した状態で利用可能な液晶機器用遮光フードを提供する。【解決手段】液晶機器Ｐに設けられた液晶画面Ｑの周囲を覆うように着脱自在に装着する液晶機器用遮光フードにおいて、遮光フード本体１をそれぞれ略方形の筒体からなる装着体１０と、中間部材２０と、遮光体３０とから構成し、上記装着体１０はその筒体周縁部に空洞部１２を設け、該空洞部１２に粘着性の軟質材からなる接着子１３を取付け、上記中間部材１０は、上記液晶画面Ｑから所定距離位置に薄板状の拡大レンズ２４を着脱自在に配置してなり、上記遮光体３０は基部を垂直面状に先方部を斜面状に形成してなり、上記各部材を連結した上記遮光フード本体１を、上記装着体１０の接着子１３を液晶画面Ｑの外縁部に接着させて液晶機器Ｐに着脱自在に装着する。【選択図】      図２
2005049374.tif 000002
【特許請求の範囲】
【請求項１】
液晶機器に設けられた液晶画面の周囲を覆うように液晶画面の外縁部に着脱自在に装着する液晶機器用遮光フードにおいて、
遮光フード本体をそれぞれ略方形の筒体からなる装着体と、中間部材と、遮光体とから構成すると共に、各部材を着脱自在に連結した状態において筒内部を連通状態としてなり、
上記装着体はその筒体周縁部に空洞部を設け、該空洞部に粘着性の軟質材からなる接着子を一体的に取付け、該接着子を上記装着体の基部側の面から突出させて膨出部を設けてなり、
上記中間部材は、上記液晶画面から所定距離位置に薄板状の拡大レンズを配置してなり、
上記遮光体は基部を垂直面状に先方部を斜面状に形成してなり、
上記各部材を連結した上記遮光フード本体を、上記装着体の接着子を液晶画面の外縁部に接着させて液晶機器に着脱自在に装着することを特徴とする液晶機器用遮光フード。
【請求項２】
上記中間部材の拡大レンズは中間部材の先方部に配置し、該中間部材によって上記液晶画面からの所定距離位置を調整してなることを特徴とする請求項１記載の液晶機器用遮光フード。
【請求項３】
上記中間部材の遮光体側の連結部は上記装着体の連結部と略同形状に形成してなり、上記遮光体は上記中間部材又は装着体に着脱自在に連結可能であることを特徴とする請求項１又は２記載の液晶機器用遮光フード。
【請求項４】
液晶機器に設けられた液晶画面の周囲を覆うように液晶画面の外縁部に着脱自在に装着する液晶機器用遮光フードにおいて、
遮光フード本体をそれぞれ略方形の筒体からなる装着体と、遮光体とから構成すると共に、両部材を着脱自在に連結した状態において筒内部を連通状態としてなり、
上記装着体はその筒体周縁部に空洞部を設け、該空洞部に粘着性の軟質材からなる接着子を一体的に取付け、該接着子を上記装着体の基部側の面から突出させて膨出部を設けてなり、
上記遮光体は基部を垂直面状に先方部を斜面状に形成してなり、
上記装着体又は遮光体には上記液晶画面から所定距離位置にレンズ受部を設け、このレンズ受部に薄板状の拡大レンズを取付けてなり、
上記両部材を連結した上記遮光フード本体を、上記装着体の接着子を液晶画面の外縁部に接着させて液晶機器に着脱自在に装着することを特徴とする液晶機器用遮光フード。
【請求項５】
上記装着体又は遮光体のレンズ受部は、装着体又は遮光体のいずれか一方の連結部に形成され、上記拡大レンズは上記レンズ受部の内周面に略合致する形状に形成されて上記レンズ受部に取付けられることを特徴とする請求項４記載の液晶機器用遮光フード。
【請求項６】
上記装着体又は遮光体のレンズ受部は、装着体又は遮光体のいずれか一方の筒体の一部に形成したスリット部から構成され、上記スリット部に上記拡大レンズを挿入して保持することを特徴とする請求項４記載の液晶機器用遮光フード。
【発明の詳細な説明】
【０００１】
【発明の属する技術分野】
本発明はデジタルカメラやビデオカメラ、携帯電話等の小型の液晶機器用遮光フードに関し、より詳細には、液晶機器の液晶画面の周囲を覆って入射光を遮蔽すると共に液晶画面を拡大表示する液晶機器用遮光フードに関する。
【０００２】
【従来の技術】
近年、デジタルカメラやビデオカメラ、携帯電話等、液晶画面を備えた機器が多く見られる。この種の液晶機器においては、太陽光等の外部からの入射光により、液晶画面に表示された画像が見にくくなることがある。このようなことから、外部からの入射光を遮蔽するために、液晶画面の周囲を覆うように遮光フードを取付けることが考えられている。
従来、このような遮光フードとして、例えば特許文献１に示すように、遮光フードに接眼レンズを取付け、遮光フードで液晶画面に対する入射光を遮蔽すると共に、液晶画面を拡大表示するものがある。
【０００３】
【特許文献１】
特開平１０−１８６４５８号公報
【０００４】
【解決しようとする課題】
しかし、このような従来のレンズ付きの遮光フードにおいては、液晶画面に表示された画像を見るためには遮光フードの接眼レンズに目を近づけなければならず、例えばデジタルカメラにおいては、撮影の際にカメラに接眼しなくても撮影画像を確認できるという液晶機能の利点が失われてしまう。その他の液晶機器についても、液晶画面の外縁に取付けた遮光フードに接眼することは、その利便性を大きく欠く結果となる。また、接眼レンズは一般的に４〜５倍程度と倍率が高く設計されるが、倍率が高ければ液晶画面の画素が荒く格子状に見えて画面が見にくくなる。
【０００５】
本発明は以上のような点を鑑みてなされたものであり、着脱自在で液晶拡大表示機能を有し、かつ液晶機器から目を離した状態で利用可能なる液晶機器用遮光フードを提供することを目的とする。
【０００６】
【課題を解決するための手段】
以上の課題を解決するため本発明は、液晶機器に設けられた液晶画面の周囲を覆うように液晶画面の外縁部に着脱自在に装着する液晶機器用遮光フードにおいて、遮光フード本体をそれぞれ略方形の筒体からなる装着体と、中間部材と、遮光体とから構成すると共に、各部材を着脱自在に連結した状態において筒内部を連通状態としてなり、上記装着体はその筒体周縁部に空洞部を設け、該空洞部に粘着性の軟質材からなる接着子を一体的に取付け、該接着子を上記装着体の基部側の面から突出させて膨出部を設けてなり、上記中間部材は、上記液晶画面から所定距離位置に薄板状の拡大レンズを配置してなり、上記遮光体は基部を垂直面状に先方部を斜面状に形成してなり、上記各部材を連結した上記遮光フード本体を、上記装着体の接着子を液晶画面の外縁部に接着させて液晶機器に着脱自在に装着することを特徴して構成されている。
【０００７】
また本発明は、上記中間部材の拡大レンズは中間部材の先方部に配置し、該中間部材によって上記液晶画面からの所定距離位置を調整してなることを特徴して構成されている。
【０００８】
また本発明は、上記中間部材の遮光体側の連結部は上記装着体の連結部と略同形状に形成してなり、上記遮光体は上記中間部材又は装着体に着脱自在に連結可能であることを特徴して構成されている。
【０００９】
また本発明は、液晶機器に設けられた液晶画面の周囲を覆うように液晶画面の外縁部に着脱自在に装着する液晶機器用遮光フードにおいて、遮光フード本体をそれぞれ略方形の筒体からなる装着体と、遮光体とから構成すると共に、両部材を着脱自在に連結した状態において筒内部を連通状態としてなり、上記装着体はその筒体周縁部に空洞部を設け、該空洞部に粘着性の軟質材からなる接着子を一体的に取付け、該接着子を上記装着体の基部側の面から突出させて膨出部を設けてなり、上記遮光体は基部を垂直面状に先方部を斜面状に形成してなり、上記装着体又は遮光体には上記液晶画面から所定距離位置にレンズ受部を設け、このレンズ受部に薄板状の拡大レンズを取付けてなり、上記両部材を連結した上記遮光フード本体を、上記装着体の接着子を液晶画面の外縁部に接着させて液晶機器に着脱自在に装着することを特徴して構成されている。
【００１０】
また本発明は、上記装着体又は遮光体のレンズ受部は、装着体又は遮光体のいずれか一方の連結部に形成され、上記拡大レンズは上記レンズ受部の内周面に略合致する形状に形成されて上記レンズ受部に取付けられることを特徴して構成されている。
【００１１】
また本発明は、上記装着体又は遮光体のレンズ受部は、装着体又は遮光体のいずれか一方の筒体の一部に形成したスリット部から構成され、上記スリット部に上記拡大レンズを挿入して保持することを特徴して構成されている。
【００１２】
【発明の実施の形態】
以下、本発明の実施形態における液晶機器用遮光フードについて、添付図面を参照しつつ詳細に説明する。まず第一の実施形態について説明する。図１は本発明の第一の実施形態における液晶機器用遮光フードの斜視図、図２は図１におけるＡ−Ａ断面図、図３は本発明の第一の実施形態における装着体の正面図、図４は図３におけるＢ−Ｂ断面図、図５は図４におけるＣ−Ｃ断面図、図６は本発明の第一の実施形態における中間部材の正面図、図７は本発明の第一の実施形態における中間部材の側面図、図８は図６におけるＤ−Ｄ断面図、図９は本発明の第一の実施形態における遮光体の正面図、図１０は図９におけるＥ−Ｅ断面図、図１１は本発明の第一の実施形態における液晶機器用遮光フードの装着状態を示す斜視図である。
【００１３】
本実施形態においては、液晶機器としてデジタルカメラを例に挙げて説明する。遮光フード本体１は図１、図２に示すように、略方形の筒体からなり、デジタルカメラＰの液晶画面Ｑの外縁に着脱自在に取付ける装着体１０と、この装着体１０の先方部側（デジタルカメラＰを向く面の反対側を指すものとする）に着脱自在に連結する中間部材２０と、この中間部材２０の先方部側に着脱自在に連結する遮光体３０から構成される。この遮光フード本体１は各部材を連結した状態において、遮光フード本体１の内側の貫通部１ａが略直線状の連通状態となる。
【００１４】
この遮光フード本体１をデジタルカメラＰに取付けたときは、液晶画面Ｑに表示された画像は貫通部１ａを通じて見ることになるが、流通しているデジタルカメラの液晶画面は約１．８インチのものが一般的であるので、本実施形態では貫通部１ａの方形の大きさは１．８インチよりも多少大きい２インチ程度のものとする。ただし、方形の大きさはこれに限られるものではなく、その他１．５インチや２．０インチなど、流通する液晶画面の大きさに合うように変更可能である。
また本実施形態では、遮光フード本体１は貫通部１ａの断面積が長さ方向に対して殆ど変化しない形状となっているが、これに限らず例えば基部側（デジタルカメラＰを向く側を指すものとする）より先方部側の断面積の方が大きい末広がり状としてもよい。
【００１５】
装着体１０は図３に示すように、プラスティック樹脂によって形成される略方形の筒体１１を有し、その周縁部、つまり筒体１１の肉厚内部には、図４、図５に示すように、基部側の面から先方部側の面まで略貫通する筒状の空洞部１２が設けてある。この空洞部１２には、粘着性の軟質材からなる接着子たるプラスティックゲル１３が一体的に取付けられている。このプラスティックゲル１３を用いれば、両面接着テープを使用する遮光フードをデジタルカメラに着脱した際に生じるような接着面のベタつきが生じない。また、プラスティックゲル１３の接着表面に付着した埃、ゴミ等を洗浄することによって粘着力を回復・保持することができる。なお、ここではプラスティックゲルを用いることとしたが、同様の効果を有する軟質材からなる接着物であれば利用可能である。
また、筒状の空洞部１２に取付けたプラスティックゲル１３は、図４に示すように、基部側の面から突出させた膨出部１３ａが形成されている。この膨出部１３ａを液晶画面Ｑの外縁に接着することにより装着体１０をデジタルカメラＰに取付ける。
【００１６】
ここで、本実施形態では空洞部１２は基部側の面から先方部側の面まで略貫通するように設けてあるが、空洞部１２を貫通するようにはせず、基部側の面にのみ空洞部１２を設け、ここにプラスティックゲル１３を取付ける構成としてもよい。また本実施形態においては、空洞部１２を筒体１１の周縁部略全体に形成する構成としているが、特にこれに限られる必要はなく、例えば周縁部の上下の部分のみ、あるいは左右の部分のみに空洞部１２を設けるなど、部分的に空洞部１２を設け、ここにプラスティックゲル１３を取付ける構成としてもよい。
【００１７】
筒体１１の外周部１４には、図３、図４に示すように、先方部側に凸部１４ａが形成されている。この凸部１４ａは後述する中間部材２０の連結部２１に形成した凹部２１ａと係合し、中間部材２０の装着体１０に対する挿入方向の位置を固定すると共に、連結状態を維持する役割を果たす。また外周部１４には、基部側に凸状の当接部１４ｂが形成されている。この当接部１４ｂは、中間部材２０を装着体１０に連結する際に、中間部材２０の連結部２１と当接し、中間部材２０の装着体１０に対する挿入方向の位置を固定する役割を果たす。
ここで、凸部１４ａと凹部２１ａの係合と、当接部１４ｂと中間部材２０の連結部２１との当接はほぼ同時であり、どちらも中間部材２０を装着体１０に対して同位置に固定するように形成されている。
【００１８】
中間部材２０はプラスティック樹脂によって形成されるもので、図６〜図８に示すように、略方形の筒体からなり、その基部側及び先方部側にそれぞれ連結部２１、２３を有する。基部側の連結部２１は中間部材２０の外周面に沿って基部側に突出しており、またその内周面は装着体１０の外周部１４と略同形状に形成されている。この連結部２１が装着体１０の外周部１４と重合し、中間部材２０が装着体１０にガタつきなく連結されるようにする役割を果たす。また、連結部２１の内周面には、上述した筒体１１の凸部１４ａと係合する凹部２１ａが形成されている。
ここで本実施形態では、装着体１０の外周部１４に対して中間部材２０の連結部２１を重合させる構成としたが、逆に中間部材２０に対して装着体１０を重合させるような構成としてもよい。また本実施形態では、装着体１０に凸部１４ａを、中間部材２０に凹部２１ａを形成することとしたが、凹凸を逆にしても同様の効果が得られる。
【００１９】
また中間部材２０の基部側には、内周面の四周に渡ってストッパー部２２が連続的に設けられている。このストッパー部２２は、中間部材２０を装着体１０に連結する際に、装着体１０の先方部側の面と当接して、中間部材２０の装着体１０に対する挿入方向の位置を固定する役割を果たす。このストッパー部２２と装着体１０の先方部側の面との当接と、当接部１４ｂと中間部材２０の連結部２１との当接はほぼ同時であり、どちらも中間部材２０を装着体１０に対して同位置に固定するように形成されている。
ここで、このストッパー部２２は連続して設けるものに限られることなく、部分的に設けるような形態でもよい。また、凸部１４ａと凹部２１ａをもって、中間部材２０の位置の固定が十分になされていれば、ストッパー部２２を設けないことも可能である。
【００２０】
一方、先方部側の連結部２３は中間部材２０の内周面に沿って先方部側に突出しており、この連結部２３には凸部２３ａが形成されている。この凸部２３ａは後述する遮光体３０の連結部３１に形成した凹部３１ａと係合し、遮光体３０の中間部材２０に対する挿入方向の位置を固定すると共に、連結状態を維持する役割を果たす。また、連結部２３を中間部材２０の内周面に沿って形成することにより、連結部２３の基部側に凸状の当接部２３ｂを形成している。この当接部２３ｂは遮光体３０を中間部材２０に連結する際に、遮光体３０の連結部３１と当接し、遮光体３０の中間部材２０に対する挿入方向の位置を固定する役割を果たす。
【００２１】
またこの連結部２３には、液晶画面Ｑに表示された画像を拡大表示するための、薄板状の拡大レンズ２４が着脱自在に配置される。この拡大レンズ２４は連結部２３の内周面と略同形状に形成されており、本実施形態においてこの拡大レンズ２４は、倍率１．５倍程度の凸レンズとしての性能を有するプラスティック製のフレネルレンズとする。拡大レンズ２４の連結部２３への取付けは、図７に示すように連結部２３にスリット状のレンズ受部２５を形成すると共に、拡大レンズ２４にレンズ受部２５の形状に略合致する嵌合凸部２４ａを形成し、これらを嵌合させることにより行う。但し、拡大レンズ２４の連結部２３への取付け構造は特にこれに限られるものではなく、どのような構造でもよい。
【００２２】
拡大レンズ２４に低倍率のものを使用することにより、焦点距離が長くなるので接眼する必要がなくなる。これにより、デジタルカメラＰから目を離した状態において、拡大表示された撮影画像を見ながら撮影を行うことが可能となる。またこのような低倍率であれば、拡大画像においても画素が荒く格子状に見えることもなく見やすい。ただし、倍率については特にこれに限られるものではなく、接眼の必要がない範囲の倍率で変更可能である。
また、拡大レンズ２４を先方部側の連結部２３に配置することにより、中間部材２０の長さによって、拡大レンズ２４が液晶画面Ｑにピントが合う所定距離位置に配置されるように調節することができ、また拡大レンズ２４自体の取付けも容易となる。さらに、拡大レンズ２４にフレネルレンズを使用することにより、拡大レンズ２４を薄く、また軽量で安価に製造することができる。
【００２３】
遮光体３０はプラスティック樹脂によって形成されるもので、図９、図１０に示すように、略方形の筒状からなると共に、基部側を垂直面状に、先方部側を斜面状に形成してなる。すなわち、上面３０ａは長尺に、下面３０ｂは短尺に形成されている。このように形成することにより、外部からの入射光、特に太陽光などの上方からの光を十分に遮蔽することができる。もちろん、それ以外の側方等からの光も十分に遮蔽可能である。
【００２４】
遮光体３０は中間部材２０と同様、基部側に連結部３１を有する。基部側の連結部３１は遮光体３０の外周面に沿って基部側に突出しており、またその内周面は中間部材２０の先方部側の連結部２３の外周面と略同形状に形成されており、中間部材２０の連結部２３と重合する。また、連結部３１の内周面には凹部３１ａが形成されており、中間部材２０の連結部２３の凸部２３ａと係合する。
さらに遮光体３０の基部側には、内周面の四周に渡ってストッパー部３２が連続して設けられており、このストッパー部３２が中間部材２０の先方部側の連結部２３と当接して、遮光体３０の中間部材２０に対する挿入方向の位置を固定する役割を果たす。
また、下面３０ｂの先方部側には、紐が一本通る程度の孔を有する紐取付部３３が形成されている。この紐取付部３３に紐を通し、さらにこの紐をデジタルカメラＰに結びつけることにより、遮光フード本体１がデジタルカメラＰから外れてしまったときでも、遮光フード本体１が地面に落下するのを防ぐことができる。
【００２５】
なお本実施形態においては、連結部２３の外周面は装着体１０の連結部たる外周部１４と略同形状に形成されている。これにより、遮光体３０は中間部材２０に連結可能であると共に、装着体１０に対しても連結可能となり、液晶画面Ｑの撮影画像を拡大表示する必要がない場合には、中間部材２０を使用せずに、直接遮光体３０を装着体１０に連結して使用することもできる。
あるいは、拡大レンズ２４のみを中間部材２０から取外してそのまま使用することも可能である。
【００２６】
次に、遮光フード本体１のデジタルカメラＰへの取付け方法を、図１１に基づいて説明する。
（１）まず、遮光体３０を中間部材２０に連結する。具体的には、遮光体３０の連結部３１を、中間部材２０の連結部２３に重合させながら遮光体３０を中間部材２０に押込んでいき、遮光体３０のストッパー部３２が中間部材２０の連結部２３に当接すると共に、遮光体３０の連結部３１が中間部材２０の当接部２３ｂに当接するまで遮光体３０を中間部材２０に押込む。またこのとき、遮光体３０の凹部３１ａと、中間部材２０の凸部２３ａが係合し、遮光体３０を中間部材２０に連結した状態が維持される。
（２）同様にして、遮光体３０が連結された中間部材２０を装着体１０に連結する。これにより遮光フード本体１が組上がる。
【００２７】
（３）そして最後に、この遮光フード本体１をデジタルカメラＰに取付ける。具体的には、液晶画面Ｑの外縁に装着体１０のプラスティックゲル１３を当接させて少し押込むことによって、このプラスティックゲル１３の膨出部１３ａが液晶画面Ｑの外縁に接着し、これによって遮光フード本体１をデジタルカメラＰに取付ける。このプラスティックゲル１３は取付け状態を維持する程度に強固な粘着力を有するが、人の力によって簡単にデジタルカメラＰから取外すことができる。
【００２８】
なおここでは、まず遮光体３０、中間部材２０、及び装着体１０を連結して遮光フード本体１を組立ててから、デジタルカメラＰに取付ける場合について示したが、他の手順、すなわち、まず装着体１０をデジタルカメラＰに取付け、その後に中間部材２０、遮光体３０をそれぞれ連結することももちろん可能である。また、デジタルカメラＰから遮光フード本体１を取外す際も、各部材を連結したままデジタルカメラＰから取外すこともできるし、各部材を１つずつ取外すことも可能である。
【００２９】
以上、本発明の第一の実施形態について説明した。上記第一の実施形態では、装着体１０と遮光体３０の間に、拡大レンズ２４を配置した中間部材２０を介在させる構成とした。しかし、このように拡大レンズ２４を取付けた中間部材２０を介在させるのではなく、装着体又は遮光体に拡大レンズを配置する構成とすることも可能である。以下、装着体又は遮光体に拡大レンズを配置した第二の実施形態における液晶機器用遮光フードについて説明する。なお、本実施形態においても液晶機器としてデジタルカメラを例に挙げて説明する。
【００３０】
図１２は本発明の第二の実施形態における液晶機器用遮光フードの断面図、図１３は本発明の第二の実施形態における装着体の側面図である。遮光フード本体２の形状は上記第一の実施形態と略同様であり、略方形の筒体からなる。ただし、本実施形態における遮光フード本体２は、装着体４０と遮光体５０の２部材から構成される。
本実施形態における装着体４０は、上記第一の実施形態おける装着体１０と中間部材２０を連結させた形状と略同様の形状をなしている。一方、本実施形態において遮光体５０は、第一の実施形態における遮光体３０と同形状であるので、遮光体５０の説明は省略し、装着体４０についてのみ説明する。
【００３１】
装着体４０は略方形の筒体からなり、図１２に示すように、その基部側には装着部４１を、先方部側には連結部４４を有する。装着部４１には筒状の空洞部４２が設けてあり、この空洞部４２にプラスティックゲル４３が一体的に取付けられている。また、筒状の空洞部４２に取付けたプラスティックゲル４３は、基部側の面から突出させた膨出部４３ａが形成されている。
一方、先方部側の連結部４４は装着体４０の内周面に沿って先方部側に突出しており、この連結部４４には凸部４４ａが形成されている。また、連結部４４を装着体４０の内周面に沿って形成することにより、連結部４４の基部側に凸状の当接部４４ｂを形成している。
【００３２】
そしてこの連結部４４の側面部には、図１３に示すように、拡大レンズ４５を配置するためのスリット状のレンズ受部４６が形成され、このレンズ受部４６に薄板状の拡大レンズ４５が着脱自在に取付けられる。拡大レンズ４５は連結部４４の内周面と略同形状に形成されており、側部にはレンズ受部４６に拡大レンズ４５を取付け・固定するための嵌合凸部４５ａが形成されている。
【００３３】
なお、本実施形態においては装着体４０の連結部４４にレンズ受部４６を形成して拡大レンズ４５を取付ける構成としたが、遮光体５０の連結部５１にレンズ受部を形成し、ここに拡大レンズ４５を取付ける構成としてもよい。
また、本実施形態においては連結部４４、すなわち部材の端部にレンズ受部４６を形成しているが、レンズ受部を形成する場所は特にこれに限られるものではなく、例えば図１４に示すように、連結部４４以外の場所にレンズ受部４７を形成するようにしてもよい。この場合レンズ受部４７は、拡大レンズ４５を筒内部に挿入するためのスリット部４７ａと、挿入された拡大レンズ４５を挟持する挟持部４７ｂから構成される。スリット部４７ａは、装着体４０の上下左右にいずれか一面に、拡大レンズ４５の一辺と略同じ大きさに形成される。また挟持部４７ｂは、スリット部４７ａを設けた部分の筒体内面両側に突起状に設けられる。この挟持部４７ｂにより拡大レンズ４５を確実に取付け・固定することができる。なお、このようなスリット部と挟持部からなるレンズ受部を遮光体５０側に形成する構成としても可能である。
【００３４】
以上、本発明の第二の実施形態について説明した。なお、拡大レンズ４５の取付け構造については特に上記のものに限られるものではなく、どのような構造でもよい。
上記第一、第二の実施形態においては液晶機器としてデジタルカメラを例に挙げて説明した。しかし、本発明に係る液晶機器用遮光フードは、例えばビデオカメラや携帯電話、携帯ゲーム機にも使用可能である。またその他にも、ＰＨＳ、携帯テレビ、車両用ナビゲーター、及び携帯情報端末機等、液晶画面を有する機器に対しては広く利用可能である。
【００３５】
【発明の効果】
以上本発明によれば、遮光フード本体を装着体と、中間部材と、遮光体とから構成し、中間部材に液晶画面から所定距離位置に薄板状の拡大レンズを配置したことから、外部からの液晶画面への入射光を遮蔽できると共に液晶画面に表示された画像を拡大表示でき、かつ、拡大表示された画像を見るために遮光フード本体に接眼する必要がないので、液晶機器から目を離した状態で利用可能となる。
【００３６】
また本発明によれば、中間部材の拡大レンズは中間部材の先方部に配置し、中間部材によって液晶画面からの所定距離位置を調整してなることから、拡大レンズの取付けが容易となると共に、中間部材の長さを変えることによって、拡大レンズを液晶画面にピントが合う所定距離位置に配置されるように調節することができる。
【００３７】
また本発明によれば、中間部材の遮光体側の連結部は装着体の連結部と略同形状に形成してなり、遮光体は中間部材又は装着体に着脱自在に連結可能であることから、液晶画面の画像を拡大表示する必要がない場合には、中間部材を使用せずに、直接遮光体を装着体に連結して使用することもできる。
【００３８】
また本発明によれば、遮光フード本体をそれぞれ略方形の筒体からなる装着体と、遮光体とから構成し、装着体又は遮光体には液晶画面から所定距離位置にレンズ受部を設け、このレンズ受部に薄板状の拡大レンズを取付けてなることから、外部からの液晶画面への入射光を遮蔽できると共に液晶画面に表示された画像を拡大表示でき、かつ、拡大表示された画像を見るために遮光フード本体に接眼する必要がないので、液晶機器から目を離した状態で利用可能となる。また、部材数を減少させることができる。
【００３９】
また本発明によれば、装着体又は遮光体のレンズ受部は装着体又は遮光体のいずれか一方の連結部に形成され、拡大レンズはレンズ受部の内周面に略合致する形状に形成されてレンズ受部に取付けられることから、拡大レンズの取付けが容易になると共に、中間部材の長さを変えることによって、拡大レンズを液晶画面にピントが合う所定距離位置に配置されるように調節することができる。
【００４０】
また本発明によれば、装着体又は遮光体のレンズ受部は、装着体又は遮光体のいずれか一方の筒体の一部に形成したスリット部から構成され、このスリット部に拡大レンズを挿入して保持することから、装着体と遮光体の連結部の位置に関係なく、拡大レンズの取付位置を自由に決定することができる。
【図面の簡単な説明】
【図１】本発明の第一の実施形態における液晶機器用遮光フードの斜視図である。
【図２】図１におけるＡ−Ａ断面図である
【図３】本発明の第一の実施形態における装着体の正面図である。
【図４】図３におけるＢ−Ｂ断面図である。
【図５】図４におけるＣ−Ｃ断面図である。
【図６】本発明の第一の実施形態における中間部材の正面図である。
【図７】本発明の第一の実施形態における中間部材の側面図である。
【図８】図６のＤ−Ｄ断面図である。
【図９】本発明の第一の実施形態における遮光体の正面図である。
【図１０】図９におけるＥ−Ｅ断面図である。
【図１１】本発明の第一の実施形態における液晶機器用遮光フードの装着状態を示す斜視図である。
【図１２】本発明の第二の実施形態における液晶機器用遮光フードの側方断面図である。
【図１３】本発明の第二の実施形態における装着体の側面図である。
【図１４】他のレンズ取付構造を用いた本発明の第二の実施形態における液晶機器用遮光フードの側方断面図である。
【符号の説明】
Ｐ      デジタルカメラ
Ｑ      液晶画面
１      遮光フード本体
２      遮光フード本体
１０    装着体
１１    筒体
１２    空洞部
１３    プラスティックゲル
１４    外周部
２０    中間部材
２１    連結部
２２    ストッパー部
２３    連結部
２４    拡大レンズ
２４ａ  嵌合凸部
２５    レンズ受部
３０    遮光体
３１    連結部
３２    ストッパー部
３３    紐取付部
４０    装着体
４１    装着部
４２    空洞部
４３    プラスティックゲル
４３ａ  膨出部
４４    連結部
４４ｂ  当接部
４５    拡大レンズ
４５ａ  嵌合凸部
４６    レンズ受部
４７    レンズ受部
４７ａ  スリット部
４７ｂ  挟持部
５０    遮光体
【図１】
2005049374.tif 000003
【図２】
2005049374.tif 000004
【図３】
2005049374.tif 000005
【図４】
2005049374.tif 000006
【図５】
2005049374.tif 000007
【図６】
2005049374.tif 000008
【図７】
2005049374.tif 000009
【図８】
2005049374.tif 000010
【図９】
2005049374.tif 000011
【図１０】
2005049374.tif 000012
【図１１】
2005049374.tif 000013
【図１２】
2005049374.tif 000014
【図１３】
2005049374.tif 000015
【図１４】
2005049374.tif 000016